(57)【要約】【課題】ＨＤＭＩ規格などの既存の映像データの伝送規格を利用して、比較的簡単に立体表示用の映像データを伝送できるようにする。【解決手段】所定ビット単位の映像データを、画素クロックに同期して、色データ毎に個別の伝送ラインを使用して、ソース側装置からシンク側装置に伝送するものに適用する。ソース側装置からシンク側装置に伝送する映像データは、左目用映像データと右目用映像データとで構成される立体表示用の映像データとし、左目用映像データと右目用映像データとを、それぞれ１画素毎に前記所定ビット数で構成する。両データの伝送状態としては、左目用映像データと右目用映像データのいずれか一方に、他方を１画素単位で付加して、１画素の映像データを、所定ビット数の２倍のビット数で構成して、画素クロックに同期したタイミングで伝送する。【選択図】図４
2007336518.tif 000002
【特許請求の範囲】
【請求項１】
所定ビット単位の映像データを、画素クロックに同期して、色データ毎もしくは輝度および色差信号毎に、個別の伝送ラインを使用して、ソース側装置からシンク側装置に伝送する伝送方式を利用して映像データを伝送する伝送方法であって、
前記ソース側装置から前記シンク側装置に伝送する映像データとして、左目用映像データと右目用映像データとで構成される立体表示用の映像データとし、
前記左目用映像データと右目用映像データとを、それぞれ１画素毎に前記所定ビット数で構成し、
前記左目用映像データと右目用映像データのいずれか一方の映像データに、１画素毎に、前記所定ビットの他方の映像データを付加して、
１画素の映像データを、前記所定ビット数の２倍のビット数のデータで構成して、前記画素クロックに同期したタイミングで伝送して、
前記ソース側装置から前記シンク側装置に立体表示用の映像データを伝送することを特徴とする
伝送方法。
【請求項２】
所定ビット単位の映像データを、画素クロックに同期して、色データ毎もしくは輝度および色差信号毎に、個別の伝送ラインを使用して、ソース側装置からシンク側装置に伝送する伝送システムであって、
前記ソース側装置として、
立体表示用の映像データとしての左目用映像データと右目用映像データとを、それぞれ１画素毎に前記所定ビット数で生成する立体表示用の映像データ生成部と、
前記映像データ生成部で生成された前記左目用映像データと右目用映像データのいずれか一方の映像データに、他方の映像データを１画素毎に付加して、１画素毎に前記所定ビット数の２倍のビット数の映像データとする合成部と、
前記合成部で合成された１画素毎に前記所定ビット数の２倍のビット数の映像データを、前記画素クロックに同期して前記伝送ラインに送出する送出部とを備え、
前記シンク側装置として、
前記伝送ラインから受信したデータを前記画素クロックに同期して前記所定ビットの２倍のビット数単位で検出する受信部と、
前記受信部で受信した所定ビットの２倍のビット数単位のデータを、前半のビットと後半のビットとに分離して、前記左目用映像データと右目用映像データとに１画素単位で分離する分離部と、
前記左目用映像データと前記右目用映像データとを個別に表示処理する表示処理部とを備えたことを特徴とする
伝送システム。
【請求項３】
請求項２記載の伝送システムにおいて、
前記シンク側装置は、立体表示に対応していない装置である場合に、前記分離部は、前記受信部で受信した１画素ごとに所定ビット数の２倍の映像データの内の前半又は後半の所定ビットのデータだけを抽出し、
前記分離部で抽出された１画素毎に所定ビット数のデータだけを前記表示処理部で表示処理することを特徴とする
伝送システム。
【請求項４】
所定ビット単位の映像データを、画素クロックに同期して、色データ毎もしくは輝度および色差信号毎に、個別の伝送ラインを使用して、シンク側装置に送信する伝送方式を利用して映像データを送信する送信方法であって、
前記シンク側装置に伝送する映像データとして、左目用映像データと、右目用映像データで構成される立体表示用の映像データとし、
前記左目用映像データと右目用映像データとを、それぞれ１画素毎に前記所定ビット数で構成し、
前記左目用映像データと右目用映像データのいずれか一方の映像データに、１画素毎に、他方の映像データの前記所定ビットの画素データを付加データし、
１画素の映像データを、前記所定ビット数の２倍のビット数のデータで構成して、前記画素クロックに同期したタイミングで送信することを特徴とする
送信方法。
【請求項５】
所定ビット単位の映像データを、画素クロックに同期して、色データ毎に個別の伝送ラインを使用して、ソース側装置からシンク側装置に送信する送信装置であって、
立体表示用の映像データとしての左目用映像データと右目用映像データとを、それぞれ１画素毎に前記所定ビット数で生成する立体表示用の映像データ生成部と、
前記映像データ生成部で生成された前記左目用映像データと右目用映像データのいずれか一方の映像データに、他方の映像データを１画素毎に付加して、１画素毎に前記所定ビット数の２倍のビット数の映像データとする合成部と、
前記合成部で合成された１画素毎に前記所定ビット数の２倍のビット数の映像データを、前記画素クロックに同期して前記伝送ラインに送出する送出部とを備えたことを特徴とする
送信装置。
【請求項６】
請求項５記載の送信装置において、
前記送出部から送出させる映像データの画素クロックは、立体表示用でない映像データを送出させる場合の画素クロックの２倍の周波数としたことを特徴とする
送信装置。
【請求項７】
所定ビット単位の映像データを、画素クロックに同期して、色データ毎もしくは輝度および色差信号毎に、個別の伝送ラインを使用して伝送する伝送方式を利用して映像データを受信する受信方法であって、
前記画素クロックに同期して受信した、前記所定ビット数の２倍のビット数の映像データの前半の所定ビット数の映像データと、後半の所定ビット数の映像データとを分離し、
分離した一方の映像データを左目用映像データとし、分離した他方の映像データを右目用映像データとして、それぞれ個別に表示処理して立体表示することを特徴とする
受信方法。
【請求項８】
所定ビット単位の映像データを、画素クロックに同期して、色データ毎もしくは輝度および色差信号毎に、個別の伝送ラインを使用して伝送する伝送方式を利用して映像データを受信する受信装置であって、
前記伝送ラインから受信したデータを前記画素クロックに同期して前記所定ビットの２倍のビット数単位で検出する受信部と、
前記受信部で受信した前記所定ビットの２倍のビット数単位のデータの、前半と後半を分離して、前記左目用映像データと右目用映像データとに１画素単位で分離する分離部と、
前記左目用映像データと前記右目用映像データとを個別に表示処理する表示処理部とを備えたことを特徴とする
受信装置。
【請求項９】
請求項８記載の受信装置において、
前記分離部は、前記受信部で受信した１画素ごとに所定ビット数の２倍の映像データの内の前半又は後半の所定ビットのデータだけを抽出し、
前記分離部で抽出された１画素毎に所定ビット数のデータだけを前記表示処理部で表示処理することを特徴とする
受信装置。
【請求項１０】
請求項８記載の受信装置において、
前記表示処理部は、１つの表示部に、前記左目用映像データによる表示と、前記右目用映像データによる表示とを実行させる表示処理を行うことを特徴とする
受信装置。
【請求項１１】
請求項８記載の受信装置において、
前記表示処理部は、２つの表示部に、前記左目用映像データによる表示と、前記右目用映像データによる表示とを個別に実行させる表示処理を行うことを特徴とする
受信装置。
【発明の詳細な説明】
【技術分野】
【０００１】
本発明は、ＨＤＭＩ（High-Definition Multimedia Interface）規格と称されるデジタル映像・音声入出力インターフェース規格に適用して好適な伝送方法及び伝送システム、並びにこの伝送システムに適用される送信方法、送信装置、受信方法及び受信装置に関し、特に、デジタル映像・音声入出力インターフェース規格を使用して立体表示用の映像データを伝送する技術に関する。
【背景技術】
【０００２】
近年、複数台の映像機器の間で、非圧縮のデジタル映像データなどを伝送させるインターフェース規格として、ＨＤＭＩ規格と称されるものが開発されている。ＨＤＭＩ規格は、映像データを、各色の原色データとして、１画素単位で個別に伝送する規格である（以下画素をピクセルと称する）。音声データ（オーディオデータ）についても、映像データのブランキング期間に、映像データの伝送ラインを使用して伝送するようにしてある。伝送する原色データは、赤，緑，青の加法混色の３チャンネルの原色データ（Ｒデータ，Ｇデータ，Ｂデータ）を伝送する場合、もしくはＹ，Ｃｂ，Ｃｒといった輝度および色差信号による場合などがある。
【０００３】
各色の１ピクセルのデータは、基本的に８ビットで構成される。水平同期信号や垂直同期信号などの同期信号についても、それぞれの同期信号が配置されるタイミングに送信される。また、映像データのピクセルクロックの伝送ラインと、制御データの伝送ラインについても設けてある。
【０００４】
図１２は、ＨＤＭＩ規格のインターフェースで、原色データ（Ｒデータ，Ｇデータ，Ｂデータ）を伝送する場合の例の概要を示した図である。映像データについては、チャンネル０とチャンネル１とチャンネル２との３つのチャンネルで、ＢデータとＧデータとＲデータとを個別に伝送するようにしてある。図１２の例では、ピクセル０、ピクセル１、ピクセル２、ピクセル３の４画素のデータを送る期間を示してあり、それぞれのチャンネルの１ピクセルのデータが８ビットで構成されている。
【０００５】
即ち、Ｂデータ（青データ）については、チャンネル０を使用して、ピクセル０の期間に、８ビットのＢ０データが送られ、以下、８ビットのＢ１データ、Ｂ２データ、Ｂ３データがピクセルクロック（図示せず）に同期して順に送られる。Ｇデータ（緑データ）については、チャンネル１を使用して、ピクセル０の期間に、８ビットのＧ０データが送られ、以下、８ビットのＧ１データ、Ｇ１データ、Ｇ２データ、Ｇ３データがピクセルクロックに同期して順に送られる。Ｒデータ（赤データ）については、チャンネル２を使用して、ピクセル０の期間に、８ビットのＲ０データが送られ、以下、８ビットのＲ１データ、Ｒ２データ、Ｒ３データがピクセルクロックに同期して順に送られる。
【０００６】
図１２では示していないが、ＨＤＭＩ規格のインターフェースでは、別のチャンネルを使用して、制御データやピクセルクロックを伝送するようにしてある。制御データについては、映像データの送信側機器（ソース側機器）から受信側機器（シンク側機器）への伝送だけでなく、受信側機器（シンク側機器）から送信側機器（ソース側機器）への伝送も行える構成としてある。また、ソース側機器では、８ビット単位でデータを暗号化してあり、シンク側機器では、８ビット単位でデータをその暗号化からの復号化を行うようにしてある。
【０００７】
このように、ＨＤＭＩ規格のインターフェースでは、１ピクセルを、１色あたり８ビットで送ることを前提として規格化されたものである。
【０００８】
特許文献１には、ＨＤＭＩ規格の詳細についての記載がある。
【特許文献１】ＷＯ２００２／０７８３３６号公報
【発明の開示】
【発明が解決しようとする課題】
【０００９】
ところで、映像表示形態として、立体表示が可能なものが近年各種実用化されている。この立体表示を行う基本的な原理としては、左目用の映像表示と、右目用の映像表示とを個別に行う。そして、それぞれの映像表示を、視聴者の左目と右目に個別に入射させるようにして、視聴者に立体映像として認識させるものである。左目用の映像表示と、右目用の映像表示とを個別に行う処理としては、例えば液晶シャッタなどを使用して、左目用の映像と右目用の映像とを、それぞれの目だけに入射させる処理例や、偏光フィルタを利用して、それぞれの目用の映像を分離する処理例などがある。
【００１０】
いずれにしても、立体映像表示処理を行う際には、左目用の映像データと、右目用の映像データとの２つの映像データを同期して伝送することが必要である。従って、従来立体映像を表示する場合には、映像信号源から表示装置に映像データを伝送する伝送ライン（映像用ケーブル）として、左目用の映像データを伝送するラインと、右目用の映像データを伝送する伝送ラインの２つの映像伝送ラインが必要であり、接続構成が複雑である問題があった。
【００１１】
左目用の映像データと右目用の映像データとを、１つの映像伝送ラインに多重化して伝送するような構成も考えられるが、その場合には、立体映像伝送用の専用の伝送構成が必要になり、立体映像表示を行わない通常の映像表示とは伝送構成に汎用性が無くなってしまう問題があった。
【００１２】
本発明はかかる点に鑑みてなされたものであり、ＨＤＭＩ規格などの既存の映像データの伝送規格を利用して、比較的簡単に立体表示用の映像データを伝送できるようにすることを目的とする。
【課題を解決するための手段】
【００１３】
本発明は、所定ビット単位の映像データを、画素クロックに同期して、色データ毎に個別の伝送ラインを使用して、ソース側装置からシンク側装置に伝送する伝送方式を利用して映像データを伝送するものに適用される。そして、ソース側装置からシンク側装置に伝送する映像データとして、左目用映像データと右目用映像データとで構成される立体表示用の映像データとし、左目用映像データと右目用映像データとを、それぞれ１画素毎に前記所定ビット数で構成する。さらに、左目用映像データと右目用映像データのいずれか一方の映像データに、１画素毎に、所定ビットの他方の映像データを付加して、１画素の映像データを、所定ビット数の２倍のビット数のデータで構成する。この所定ビット数の２倍のビット数のデータを、画素クロックに同期したタイミングで伝送して、立体表示用の映像データを伝送するようにしたものである。
【００１４】
このようにしたことで、１組の伝送ラインを使用して、左目用映像データと右目用映像データの内の一方の映像データの付加データとして、他方の映像データが伝送され、ビット数の多い映像データを伝送可能な伝送規格に適用可能となる。
これを実現するためには、１ピクセルの１色あたりのビット数を、８ビット以上とすることを提案する。例えば、１ピクセルの１色あたりのビット数を、１６ビットとすることを提案する。
図１３は、ＨＤＭＩ規格のインターフェースで、１ピクセルの１色あたり１６ビットのデータを伝送することを想定した、伝送状態の例である。ＨＤＭＩ規格は既に説明したように、８ビットを１単位でデータを伝送することを想定した規格であり、１ピクセルクロックで、８ビット伝送する構成としてあり、１６ビットのデータを伝送するためには、２ピクセルクロックが必要である。図１３の例では、２ピクセルクロックで、１ピクセルのデータを伝送するデータ配置としてある。図１３に示したフェーズ０，１，２，３が、それぞれ１ピクセルクロックの１周期を示している。この図１３に示すように、２クロック期間を利用することで、２倍のビット数である１ピクセル１６ビットの映像データを伝送することができる。なお、この図１３に示すデータ伝送の場合には、１つのピクセルの伝送に、２ピクセルクロック期間が必要であるので、ピクセルクロックについても対応して２倍に高周波数化する必要がある。
【発明の効果】
【００１５】
本発明によると、左目用映像データと右目用映像データの内の一方の映像データの付加データとして、他方の映像データが伝送され、ビット数の多い映像データを伝送可能な伝送規格に適用可能となり、例えばＨＤＭＩ規格を利用して簡単に立体表示用の映像データを伝送できるようになる。また、受信側の表示装置が立体映像表示に対応していない場合には、付加データを無視して受信処理すればよく、立体表示用の映像伝送と、通常の映像伝送との互換性が保てる。さらに、伝送形態としては、伝送規格で定められたビット数（例えば８ビット）の伝送単位を維持した伝送形態であり、左目用映像データと右目用映像データとを同時に伝送させる場合であっても、所定ビット単位での暗号化や復号化が、規格で定められた状態で行える。
【発明を実施するための最良の形態】
【００１６】
以下、本発明の一実施の形態を、図１〜図９を参照して説明する。
【００１７】
本例においては、ＨＤＭＩ規格でソース側機器からシンク側機器に映像データなどを伝送する伝送システムに適用したものである。図１は、本例のシステム構成例を示した図で、ソース側機器であるビデオ記録再生装置１０と、シンク側機器であるテレビジョン受像機３０とを、ＨＤＭＩケーブル１で接続して、ビデオ記録再生装置１０から映像データや音声データを、テレビジョン受像機３０に伝送する構成としてある。本例のビデオ記録再生装置１０は、立体（３Ｄ）映像表示用の映像データを記録し再生することができる構成としてあり、テレビジョン受像機３０は、立体映像の表示処理が行える受像機としてある。以下の説明で、ＨＤＭＩ規格について、必要な構成などを順に説明するが、基本的には既存のＨＤＭＩ規格をそのまま適用してあり、ＨＤＭＩケーブル１の構成などは従来と同じである。
【００１８】
まず、ビデオ記録再生装置１０について説明すると、ビデオ記録再生装置１０は記録再生部１１を備え、映像データや音声データを記録し再生することができる。記録再生部１１としては、例えばハードディスクドライブ（ＨＤＤ）装置を使用できる。立体映像表示用のデータを記録再生部１１に記録する場合には、１つの映像コンテンツで、左目用映像データと右目用映像データとの２系統の映像データが記録されることになる。記録再生部１１で再生して得た映像データは、映像処理部１２に供給し、再生して得た音声データは、音声処理部１４に供給する。また、チューナ１６を備え、そのチューナ１６で受信して得た映像データ及び音声データを、映像処理部１２及び音声処理部１４に供給する。
【００１９】
映像処理部１２では、再生又は受信して得た映像データを、伝送用の映像データとする処理が行われる。ここで、本例の映像処理部１２で立体映像表示用のデータを処理する場合には、左目用映像データと右目用映像データとの２系統の映像データを同時に処理できる構成としてある。左目用映像データと右目用映像データは、本例の場合、それぞれ１ピクセルが１色あたり８ビットのデータ（即ち３色合わせて１ピクセルあたり２４ビットのデータ）としてある。
【００２０】
音声処理部１４は、再生又は受信して得た音声データを、伝送用の音声データとする処理が行われる。
【００２１】
映像処理部１２及び音声処理部１４が出力する映像データ及び音声データは、ＨＤＭＩ伝送処理部２０に供給する。ＨＤＭＩ伝送処理部２０は、ＨＤＭＩ規格のインターフェースの伝送処理を行う回路部であり、例えば集積回路化してある。ＨＤＭＩ伝送処理部２０に供給される映像データ及び音声データは、多重化回路２１で多重化する。
【００２２】
立体映像表示用の映像データを再生した場合には、左目用映像データと右目用映像データが記録再生部１１に供給されて、左目用映像データと右目用映像データが多重化される。ここでは、それぞれの映像データが、１ピクセルの１色ごとに８ビットで構成されているので、１ピクセルの１色の伝送に１６ビット期間を使用し、その１６ビットの伝送期間の前半に左目用映像データを配置し、後半に右目用映像データを配置する。後半に配置した右目用映像データは、前半に配置した左目用映像データの付加データとなる。なお、前半に右目用映像データを配置し、後半に左目用映像データを配置するようにしてもよい。具体的なデータ配置と伝送状態の詳細は後述する。
【００２３】
音声データについては、映像データが伝送されるチャンネルのブランキング期間を使用して伝送するように、多重化を行うようにしてある。この音声データをブランキング期間に配置して伝送する処理は、ＨＤＭＩ規格でフォーマット化された一般的な伝送処理である。
【００２４】
そして、多重化回路２１で多重化された伝送用のデータを、ＨＤＣＰ暗号化部２２で暗号化する。ＨＤＣＰ暗号化部２２は、ＨＤＣＰ（High-bandwidth Digital Content Protection System）規格で、少なくとも映像データが伝送されるチャンネルの暗号化を行うようにしてある。ここでの暗号化は、１チャンネルの８ビットのデータを単位として行うようにしてある。
【００２５】
ＨＤＣＰ暗号化部２２で暗号化されたデータは、伝送処理部２３に供給し、各色のピクセルデータを個別のチャンネルに配置し、またピクセルクロックチャンネルや制御データチャンネルなども、それぞれ対応したクロックやデータとし、ＨＤＭＩ端子２４に接続されたＨＤＭＩケーブル１に送出する。
【００２６】
ＨＤＭＩケーブル１は、テレビジョン受像機３０のＨＤＭＩ端子４１に接続するようにしてある。
次にテレビジョン受像機３０の構成について説明する。テレビジョン受像機３０のＨＤＭＩ端子４１に接続されたＨＤＭＩケーブル１で伝送されたデータは、ＨＤＭＩ伝送処理部４０内の伝送処理部４２で、ピクセルクロックに同期して検出（受信）される。検出された各チャンネルのデータは、ＨＤＣＰ復号化部４２で送信時の暗号化からの復号化を行う。ここでの復号化についても、１チャンネルごとに８ビット単位で行われる。
【００２７】
復号化されたデータは、多重分離回路４４に供給して、各チャンネルに多重化されたデータを分離する。ここでの分離処理としては、映像が伝送されるチャンネルのブランキング期間に配置された音声データを、映像データから分離する。また、映像データとして、立体表示用の映像データである場合には、左目用映像データと右目用映像データとを分離する。但し、後述するように、立体映像表示をしないモード（通常の表示モード）の場合には、いずれか一方の映像データ（例えば左目用映像データ）だけを抽出する。このいずれか一方の映像データだけを抽出する処理例の詳細については、図９のフローチャートの説明する際に後述する。
【００２８】
多重分離回路４４で分離された各映像データについては、映像選択部３１に供給する。映像選択部３１では、このテレビジョン受像機３０の制御部３６からの指示に基づいて、いずれかの映像を選択又は合成し、選択又は合成された映像データを映像処理部３２に供給する。映像処理部３２では、供給される映像データに必要な映像処理を施し、表示処理部３３に供給する。表示処理部３３では、表示パネル６０を駆動する処理を行う。立体映像を表示させる具体的な処理例については後述する。
【００２９】
多重分離回路４４で分離された音声データについては、音声処理部３４に供給し、アナログ変換などの音声処理を行い、処理された出力を出力処理部３５に供給して、スピーカ駆動用に増幅などの処理を行い、出力処理部３５に接続されたスピーカ５１，５２から出力させる。
【００３０】
多重分離回路４４で分離された制御データについては、制御部３６に供給する。なお、制御データについては、制御データ用のチャンネルを使用して、このテレビジョン受像機３０の制御部３６から、ビデオ記録再生装置１０側の制御部１５に送ることもできる。
【００３１】
図２は、ビデオ記録再生装置１０の伝送処理部２３と、テレビジョン受像機３０の伝送処理部４２との間で、ＨＤＭＩケーブル１で伝送される各チャンネルのデータ構成例を示した図である。図２に示すように、映像データを伝送するチャンネルとして、チャンネル０と、チャンネル１と、チャンネル２の３つのチャンネルが用意してあり、さらにピクセルクロックを伝送するクロックチャンネルが用意してある。また、制御データ伝送チャンネルとしての、ＤＤＣ（Display Data Channel）ライン及びＣＥＣ（Consumer Electronics Control）ラインが用意してある。ＤＤＣラインは、主として表示を制御するデータを伝送する伝送路であり、ＣＥＣラインは、主として接続された機器間で、機器制御のデータなどを相互に伝送する伝送路である。
【００３２】
送信側では、映像データを伝送するチャンネル毎に、伝送処理部（送信部）２３ａ，２３ｂ，２３ｃが伝送処理部２３内に用意してあり、受信側でも、映像データを伝送するチャンネル毎に、伝送処理部（データ受信部）４２ａ，４２ｂ，４２ｃが伝送処理部４２内に用意してある。
【００３３】
各チャンネルの構成について説明すると、チャンネル０では、Ｂデータのピクセルデータと、垂直同期データと水平同期データと補助データとを伝送するようにしてある。チャンネル１では、Ｇデータのピクセルデータと、２種類の制御データ（ＣＴＬ０，ＣＴＬ１）と、補助データとを伝送するようにしてある。チャンネル２では、Ｒデータのピクセルデータと、２種類の制御データ（ＣＴＬ２，ＣＴＬ３）と、補助データとを伝送するようにしてある。
【００３４】
図３は、本例の伝送構成で伝送される映像データの、１フレームのライン構成及びピクセル構成を示した図である。本例の場合に伝送される映像データ（主映像データ）は、非圧縮データ（即ち１画素単位の映像データ）であり、垂直ブランキング期間及び水平ブランキング期間が付加されている。具体的には、図３の例では、表示される映像エリア（アクティブビデオエリアとして示すエリア）として、４８０ライン×７２０ピクセルのピクセルデータとしてあり、ブランキング期間まで含めたライン数及びピクセル数として５２５ライン及び８５８ピクセルとしてある。ブランキング期間中のダブルハッチング（右方向と左方向の斜線の重なり部分）で示すエリアはデータアイランドと称される、補助データが付加可能な期間である。
【００３５】
次に、本例の伝送構成で、ピクセルデータが伝送されるチャンネル０とチャンネル１とチャンネル２を使用して、映像データが伝送される状態について説明する。本例の伝送構成は、ＨＤＭＩ規格に準拠した伝送構成であり、通常の映像データ（即ち立体表示用でない映像データ）を伝送する場合には、背景技術の欄で説明した、図１２又は図１３の伝送構成で、映像データの伝送が行われる。即ち、各色の１ピクセルが８ビットで構成されている場合、１ピクセルクロックに同期して、チャンネル０，１，２で、それぞれ１ピクセルのデータである８ビットデータが配置されて、伝送される（図１２の伝送処理）。
【００３６】
そして、立体表示用の映像データをビデオ記録再生装置１０からテレビジョン受像機３０に伝送する場合には、図４に示す伝送構成とする。この例では、Ｂ，Ｇ，Ｒの各色の左目用映像データを、１ピクセル８ビットで構成し、Ｂ，Ｇ，Ｒの各色の右目用映像データについても、１ピクセル８ビットで構成し、左右の映像データを同じデータ量としてある。伝送構成としては、１ピクセルの左右の映像データを、クロックチャンネルで伝送されるピクセルクロックの２クロック周期で伝送する。即ち、２ピクセルクロック期間の前半のクロック周期（図４のフェーズ０，２の期間）に、Ｂ，Ｇ，Ｒの各色の左目用映像データを、それぞれチャンネル０，１，２を使用して伝送する。そして、２ピクセルクロック期間の後半のクロック周期（図４のフェーズ１，３の期間）に、Ｂ，Ｇ，Ｒの各色の右目用映像データを、それぞれチャンネル０，１，２を使用して伝送する。前半の左目用映像データと、後半の右目用映像データとは、それぞれ同じ画素位置のデータである。ブランキング期間についても、２ピクセルクロック期間の前半と後半とで、同じデータ構成のブランキング期間用のデータを伝送する。
【００３７】
図４の伝送状態をより詳細に説明すると、例えば、ピクセル０のデータについては、チャンネル０のＢデータについては、フェーズ０で、８ビットの左目用青データＢ０Ｌを伝送し、次のフェーズ１で、８ビットの右目用青データＢ０Ｒを伝送する。チャンネル１のＧデータについては、フェーズ０で、８ビットの左目用緑データＧ０Ｌを伝送し、次のフェーズ１で、８ビットの右目用緑データＧ０Ｒを伝送する。チャンネル２のＲデータについては、フェーズ０で、８ビットの左目用赤データＲ０Ｌを伝送し、次のフェーズ１で、８ビットの右目用赤データＲ０Ｒを伝送する。なお、図４の立体表示用の映像データを伝送する場合には、図１２に示した通常表示用の各色８ビットの映像データを伝送する場合に比べて、画素クロックは２倍の周波数にする必要がある。
【００３８】
図５は、このような立体表示用の映像データの伝送構成とした場合に、ソース側から、伝送データの構成について指示するデータである、ＶＳＤＢと称されるデータで、多重化データ例をシンク側に指示する場合の例である。ＶＳＤＢのデータは、ＤＤＣライン（図２）を使用して伝送されるデータである。この例のＶＳＤＢの場合には、６バイト目のデータで、１ピクセルが何ビットのデータであるかが示される。本例の場合には、１色の１ピクセルごとに８ビットで合計２４ビットのデータであることが示される。そして、立体映像データの伝送であるか否かが、所定のビット位置を使用して示される。
【００３９】
シンク側機器（テレビジョン受像機３０）の制御部３６（図１）では、このＶＳＤＢのデータを判断して、図４に示した立体表示用の映像データの伝送であるのか、或いは図１２又は図１３に示した通常の映像データ伝送であるのかが、判断される。図１２の例の１ピクセルが８ビットか、図１３の例の１ビットが１６７ビットかの区別についても、図５の６バイト目の１ピクセルが何ビットのデータかで判断される。
【００４０】
テレビジョン受像機３０の制御部３６では、この判断に基づいて、受信した映像データから、左目用映像データと右目用映像データの分離や、それぞれの映像データを使用した立体表示処理を実行させる。
【００４１】
図６は、テレビジョン受像機３０での立体映像の表示例を示したものである。立体映像の表示原理は、図６に示すように、テレビジョン受像機３０の画面上に、左目用映像３０Ｌと右目用映像３０Ｒとを表示させ、それぞれの映像を、視聴者の左目と右目に個別に入射させて、視聴者に立体映像として認識させるものである。次に、左目用映像３０Ｌと右目用映像３０Ｒとを、視聴者の左目と右目に個別に入射させる処理例について説明する。
【００４２】
図７は、視差バリア方式で左右の目に個別の映像を入射させる表示例である。図７（ａ）は立体視表示時の場合であり、図７(ｂ)は、立体視でない通常表示時の場合である。この例では、表示パネル６０としてＴＦＴ型の液晶表示パネル６１を使用してあり、ＴＦＴ液晶パネル６１とバックライト６３との間に、スイッチ液晶パネル６２を挟むようにしてある。スイッチ液晶パネル６２は、図７（ａ）に示すように、立体視の場合には、所定間隔で不透明になって、バックライト６３からの光が選択的にＴＦＴ液晶パネル６１を透過するようになる。ＴＦＴ液晶パネル６１上の画素は、左目用画素６１Ｌと右目用画素６１Ｒとが交互に配置してあり、左目用画素６１Ｌは左目用映像データによる画素駆動が行われ、右目用画素６１Ｒは右目用映像データによる画素駆動が行われる。
【００４３】
このように構成したことで、スイッチ液晶パネル６２で不透明にする間隔と、左目用画素６１Ｌと右目用画素６１Ｒとの配列間隔とを適切に選定することで、バックライト６３からの照明光の画素の透過状態として、左目用画素６１Ｌの透過光の光路（破線で示す）と、右目用画素６１Ｒの透過光の光路（実線で示す）とが、それぞれ異なる角度を持つことになり、結果的に左目に左目用画素６１Ｌで表示された映像が入射し、右目に右目用画素６１Ｒで表示された映像が入射して、立体視ができる。
【００４４】
この表示パネルで立体視でない通常表示を行う際には、図７(ｂ)に示すように、スイッチ液晶パネル６２は透明状態とする。ＴＦＴ液晶パネル６１の左目用画素６１Ｌと右目用画素６１Ｒとについては、同じ映像データにより駆動させて表示さ、通常のＴＦＴ型の液晶表示パネルと同様の表示を行う。この図７に示した視差バリア方式の表示の場合には、１枚の液晶パネル上に、左目用映像と右目映像とを１画素間隔で並べて同時に表示させる処理が行われるので、テレビジョン受像機３０内の映像選択部３１で、左目用映像と右目映像とを１画素間隔で並べる合成処理が必要となる。
【００４５】
図８は、液晶シャッタ方式による立体視表示例である。この場合には視聴者は、液晶シャッタ７１Ｌ，７１Ｒが左右に個別に取付けられたメガネ７１を装着する。このメガネ７１は、テレビジョン受像機３０の画面上に右目用の映像が表示されている場合には、左の液晶シャッタ７１Ｌを不透明とし、右の液晶シャッタ７１Ｒを透明とする。また、テレビジョン受像機３０の画面上に左目用の映像が表示されている場合には、右の液晶シャッタ７１Ｒを不透明とし、左の液晶シャッタ７１Ｌを透明とする。
【００４６】
そして、テレビジョン受像機３０の画面に表示される映像として、１フレームごとに交互に、左目用映像３０ａ，右目用映像３０ｂ，左目用映像３０ｃ，‥‥と交互に表示させ、メガネ７１のシャッタ制御も連動して行う。このようにすることで、視聴者は表示映像を立体視することができる。この図８に示した液晶シャッタ方式の表示の場合には、１枚の液晶パネル上に、左目用映像と右目映像とを時分割で順に表示させる処理が行われるので、テレビジョン受像機３０内の映像選択部３１で、左目用映像と右目映像とを分離して、時分割で後段の回路に供給する処理が必要となる。
【００４７】
次に、本例のテレビジョン受像機３０のＨＤＭＩ端子４１に映像データが入力した場合の、制御部３６の制御による処理例を、図９のるフローチャートを参照して説明する。まず制御部３６は、ＨＤＭＩ端子４１に映像データの入力があるか否か判断し（ステップＳ１１）、入力があるまで待機する。ここで、入力があると判断した場合には、ＤＤＣチャンネルで伝送されるＶＳＤＢのデータから、映像データ構成を判断する（ステップＳ１２）。この判断で、立体視用の映像（即ち図４に示したデータ構成）が入力したか否か判定し（ステップＳ１３）、立体視用の映像入力と判断した場合には、現在のテレビジョン受像機３０の映像表示モードが立体視モード（３Ｄ表示モード）であるか否か判断する（ステップＳ１４）。ここで、立体視モードが設定されていると判断した場合には、左目用映像と右目用映像を分離（又は合成）して、対応した立体視用の表示処理を行い（ステップＳ１５）、例えば図７又は図８に示した立体視表示を行う（ステップＳ１６）。
【００４８】
また、ステップＳ１３で、立体視用の映像入力でないと判断した場合には、映像選択部３１では選択などの処理を行わずに、そのまま後段の回路に映像データを送り、入力映像データを全て１系統の映像データとして使用して処理する（ステップＳ１７）。その処理により、２Ｄ表示用の通常表示処理が行われる（ステップＳ１８）。
【００４９】
また、ステップＳ１４で、立体視モードとなっていない場合には、図４に示したデータ構成で伝送されるデータである、各画素の左目用の８ビットデータと右目用の８ビットデータとの内の、前半のデータ（即ち左目用の８ビットデータ）だけを、映像選択部３１で選択して後段の回路に送り（ステップＳ１９）、その片側の映像だけを表示処理させて、２Ｄ表示用の通常表示処理が行われる（ステップＳ１８）。
【００５０】
このように、本例の伝送処理を行うことで、ソース機器とシンク機器とをＨＤＭＩケーブル１で接続するだけで、立体視用の映像データ伝送と、通常表示用の映像データ伝送とを行うことができ、１組のケーブルで接続するだけの簡単な接続構成で、立体視用の映像データ伝送が可能になる。しかも、図１２や図１３に示した通常表示用の映像データ伝送と、図４に示した立体視用の映像データ伝送とは、基本的な伝送構成については同じであり、ＨＤＭＩ規格に準拠した上で、立体視用の映像データ伝送が可能になる。立体視用の映像データ伝送を行う上で、本例の場合には、それぞれの映像データにより表示される映像の解像度が低下することもない。
【００５１】
また、立体視用の映像データ伝送が行われている状態で、シンク機器側で立体視をしない場合には、１画素単位で伝送されるデータの内の前半（又は後半）の左右いずれかの所定ビットのデータだけを使用して表示処理すればよく、容易に対処できる。立体視処理が不可能なシンク機器（テレビジョン受像機）の場合にも、同様に、１画素単位で伝送されるデータの内の、半分のデータを取り出して処理して、残りのデータは無視すればよい。
【００５２】
なお、上述した実施の形態では、立体視表示例として、１つの映像表示部を使用して立体視表示処理を行うようにしたが、２つの映像表示部を使用して、左目用映像表示と、右目用映像表示とを個別に行って、立体視表示を行うようにしてもよい。
図１０は、この場合の伝送システム構成例を示したものである。ビデオ記録再生装置１０については図１に示した構成と同じであり、テレビジョン受像機３０′の映像表示処理構成のみが、図１に示したテレビジョン受像機３０と異なる。即ち、テレビジョン受像機３０′としては、表示パネルとして、２つの表示パネル８１，８２を備える構成とし、それぞれの表示パネル８１，８２に左目用映像と右目用映像を個別に表示させる。
【００５３】
ＨＤＭＩケーブを介して入力した映像データは、ＨＤＭＩ伝送処理部４０内の多重分離回路４４で、左目用映像データと右目用映像データとを分離する。分離された左目用映像データは、映像処理部３２で映像処理し、表示処理部３３で表示パネル８１を駆動する表示処理を行う。分離された右目用映像データは、映像処理部３７で映像処理し、表示処理部３８で表示パネル８２を駆動する表示処理を行う。
【００５４】
図１１は、このように個別の表示パネル８１，８２に表示させて立体視させる例を示したものである。この例では、表示パネル８１，８２は、それぞれ映像プロジェクタ内の表示パネルとして構成してあり、表示パネル８１により生成された投射映像は、偏光フィルタ８３を介してスクリーン８５に投射させる。表示パネル８２により生成された投射映像は、偏光フィルタ８４を介してスクリーン８５に投射させる。偏光フィルタ８３と偏光フィルタ８４は、偏光方向を変えてある。
【００５５】
スクリーン８５に投射される映像を視聴するユーザは、偏光フィルタ付きメガネ９０を使用して視聴する。メガネ９０の左右には、それぞれ偏光方向が異なる偏光フィルタ９１，９２が配置してある。このようにして、２つの映像表示部を使用して立体視表示を行う場合にも本発明は適用可能である。
【００５６】
なお、上述した図４の説明では、１ピクセル各色８ビットのデータを伝送する場合の例としたが、例えば１ピクセル各色１６ビットの左目用データと右目用データのような、他のビット数の立体視用映像データを伝送する場合などにも対処可能である。この場合には、１ピクセルの伝送に必要な画素クロックの周期を対応して増やし、クロック周波数を対応して高速化すればよい。
【００５７】
また、上述した実施の形態では、左目用映像データと左目用映像データとで構成される立体視用映像データを伝送する処理に適用したが、その他の２種類の映像データを同時に伝送する処理に適用してもよい。例えば、自動車内に設置した映像信号源から表示装置に映像データを伝送する場合に、２種類の異なる映像データを、図４に示した左目用映像データと左目用映像データの位置に配置して、１組のＨＤＭＩ規格のケーブルを使用して伝送する構成とする。そして、表示装置に同時に２種類の映像データを表示させる。２種類の映像データを同時に表示させる処理としては、表示装置の画面を見る視線方向により、別の種類の映像が見えるように表示させる。例えば、表示装置の画面を斜め右から見た場合には、道路地図などのナビゲーション用の映像を表示させ、表示装置の画面を斜め左から見た場合には、映画などの映像プログラムを表示させる構成とする。このような複数画面の同時表示を行う各種処理に、本発明の伝送処理を適用することができる。
【００５８】
また、上述した実施の形態では、ＨＤＭＩ規格のインターフェースを前提として説明したが、その他の同様な伝送規格にも適用可能である。ＨＤＭＩ規格のケーブルで接続するソース側機器とシンク側機器についても、図１に示した記録再生装置とテレビジョン受像機以外の映像機器で接続する構成としてもよい。
【図面の簡単な説明】
【００５９】
【図１】本発明の一実施の形態によるシステム構成例を示すブロック図である。
【図２】本発明の一実施の形態による伝送チャンネル構成例を示す説明図である。
【図３】本発明の一実施の形態によるビット構成例を示す説明図である。
【図４】本発明の一実施の形態によるデータパッキング例を示す説明図である。
【図５】本発明の一実施の形態によるＶＳＤＢのデータ構成例を示す説明図である。
【図６】本発明の一実施の形態による左右の映像の表示例を示す説明図である。
【図７】視差バリア方式による立体表示例を示す説明図である。
【図８】液晶シャッタ方式による立体表示例を示す説明図である。
【図９】本発明の一実施の形態による受信側での入力データとモードとによる処理例を示したフローチャートである。
【図１０】本発明の他の実施の形態によるシステム構成例を示すブロック図である。
【図１１】偏光方式による立体表示例を示す説明図である。
【図１２】ＨＤＭＩ規格のデータパッキング例（１ピクセル８ビットの例）を示す説明図である。
【図１３】本発明が適用されるデータパッキング例（１ピクセル１６ビットの例）を示す説明図である。
【符号の説明】
【００６０】
１…ＨＤＭＩケーブル、１０…ビデオ記録再生装置（ソース側機器）、１１…記録再生部、１２…映像処理部、１４…音声処理部、１５…制御部、１６…チューナ、２０…ＨＤＭＩ伝送処理部、２１…多重化回路、２２…ＨＤＣＰ暗号化部、２３…伝送処理部、２４…ＨＤＭＩ端子、３０…テレビジョン受像機（シンク側機器）、３１…映像選択部、３２…映像処理部、３３…表示処理部、３４…音声処理部、３５…出力処理部、３６…制御部、３７…映像処理部、３８…表示処理部、４０…ＨＤＭＩ伝送処理部、４１…ＨＤＭＩ端子、４２…伝送処理部、４３…ＨＤＣＰ復号化部、４４…多重分離回路、５１，５２…スピーカ、６０…表示パネル、８１，８２…表示パネル
【図１】
2007336518.tif 000003
【図２】
2007336518.tif 000004
【図３】
2007336518.tif 000005
【図４】
2007336518.tif 000006
【図５】
2007336518.tif 000007
【図６】
2007336518.tif 000008
【図７】
2007336518.tif 000009
【図８】
2007336518.tif 000010
【図９】
2007336518.tif 000011
【図１０】
2007336518.tif 000012
【図１１】
2007336518.tif 000013
【図１２】
2007336518.tif 000014
【図１３】
2007336518.tif 000015